(57)【特許請求の範囲】
【請求項１】
フレームと、
前記フレームに前後方向に摺動自在に取付けられている可動シャーシと、
前記可動シャーシの前端側に回動自在に取付けられている表示パネルと、
前記可動シャーシ上に摺動自在に支持されるとともに、前記表示パネルを固定する固定部材を有するスライド板と、
前記スライド板を前記シャーシ上において前方に摺動付勢するばねと、
前記フレームに設けられ、前記可動シャーシが前方に引出されたときに前記スライド板の同方向への移動を規制する固定解除手段と、
を具備し、前記表示パネルは前記可動シャーシ内に回動されて収納されるとともに、前記可動シャーシが前記フレーム内に引込まれて収納された状態で前記スライド板上の固定部材によって固定されるとともに、前記可動シャーシが前方に引出されると前記固定解除手段によって前記スライド板が前記可動シャーシに対して相対的に後方に移動され、前記スライド板上の固定部材による前記表示パネルの固定が解除されることを特徴とする収納式表示装置。
【請求項２】
前記固定部材が前記スライド板に設けられている固定ピンであって、該固定ピンが前記表示パネルの背面側の上部の切欠きに係合して前記表示パネルを収納状態で固定することを特徴とする請求項１に記載の収納式表示装置。
【請求項３】
前記スライド板上の固定部材は前記表示パネルが前記可動シャーシを介して前記フレーム内に収納されると該表示パネルを収納状態で自動的に固定するとともに、前記表示パネルが前記フレームから引出されると自動的に固定を解除することを特徴とする請求項１に記載の収納式表示装置。
【請求項４】
前記固定解除手段が前記スライド板に設けられている折曲げ片と、該折曲げ片に当接して前記スライド板の前方への移動を阻止するストッパとから構成されることを特徴とする請求項１に記載の収納式表示装置。
【発明の詳細な説明】
【０００１】
【発明の属する技術分野】
本発明は収納式表示装置に係り、とくに表示パネルをフレーム内に収納するとともに、使用時に表示パネルを引出すようにした収納式表示装置に関する。
【０００２】
【従来の技術】
例えば自動車にナビゲーション装置を装備する場合には、表示手段によって地図上における車両の位置を表示することを要する。そこで従来は、インストルメントパネルの上部にオンダッシュタイプの液晶表示パネルを取付けるようにしている。この場合にはインストルメントパネルの外表面に穴をあけて液晶表示パネルをねじで固定する方法によって取付けが行なわれるようになっている。
【０００３】
これに対してオーディオ装置とともに、インストルメントパネルあるいはコンソールパネル内に組込まれるようにしたビルドインタイプの収納式表示装置が提案されている。この種の表示装置は、インストルメントパネルあるいはコンソールパネル内に組込まれたフレームに対して表示パネルを収納するとともに、使用時に引出して見易い位置へ移動させるようにしたものである。
【０００４】
【発明が解決しようとする課題】
このような収納式表示装置においては、使用時のみならず収納時においても、表示パネルが安定に保持されることを要する。すなわちフレーム内に収納された表示パネルが外部からの振動によってふらつくと、フレーム等に当って表面が傷つく可能性がある。とくに表示面を上側にしてフレーム内に収納するようにした場合には、表示面がフレームの内表面に干渉されないように安定に保持する必要がある。
【０００５】
本発明はこのような問題点に鑑みてなされたものであって、とくに収納時において表示パネルを安定に保持し、フレーム等に干渉しないようにした収納式表示装置を提供することを目的とする。
【０００７】
【課題を解決するための手段】
本発明は、フレームと、
前記フレームに前後方向に摺動自在に取付けられている可動シャーシと、
前記可動シャーシの前端側に回動自在に取付けられている表示パネルと、
前記可動シャーシ上に摺動自在に支持されるとともに、前記表示パネルを固定する固定部材を有するスライド板と、
前記スライド板を前記シャーシ上において前方に摺動付勢するばねと、
前記フレームに設けられ、前記可動シャーシが前方に引出されたときに前記スライド板の同方向への移動を規制する固定解除手段と、
を具備し、前記表示パネルは前記可動シャーシ内に回動されて収納されるとともに、前記可動シャーシが前記フレーム内に引込まれて収納された状態で前記スライド板上の固定部材によって固定されるとともに、前記可動シャーシが前方に引出されると前記固定解除手段によって前記スライド板が前記可動シャーシに対して相対的に後方に移動され、前記スライド板上の固定部材による前記表示パネルの固定が解除されることを特徴とする収納式表示装置に関するものである。
【０００８】
ここで、前記固定部材が前記スライド板に設けられている固定ピンであって、該固定ピンが前記表示パネルの背面側の上部の切欠きに係合して前記表示パネルを収納状態で固定してよい。また前記スライド板上の固定部材は前記表示パネルが前記可動シャーシを介して前記フレーム内に収納されると該表示パネルを収納状態で自動的に固定するとともに、前記表示パネルが前記フレームから引出されると自動的に固定を解除してよい。また前記固定解除手段が前記スライド板に設けられている折曲げ片と、該折曲げ片に当接して前記スライド板の前方への移動を阻止するストッパとから構成されてよい。
【０００９】
本発明の好ましい態様は、収納時および移動時に表示パネルを固定するようにした装置に関するものであって、可動シャーシ内に表示パネルが収納されたときにこの表示パネルを可動シャーシに固定するようにしたものである。
【００１０】
より好ましい態様は、表示パネルの背面側の上部に切欠きを有する係止板を設けるとともに、このような切欠きに係合する固定ピンを植設したスライド板を可動シャーシに摺動可能に取付け、このスライド板をばねによって上記切欠きに係合するように前方に摺動付勢させるようにしたものである。ここで可動シャーシが最大ストローク前方に引出されたときに、上記スライド板に設けられている折曲げ片がフレーム側のストッパに当接し、これによって可動シャーシに対してスライド板が相対的に後方へ移動し、上記固定ピンによる固定を解除するように構成される。
【００１１】
このような態様によれば、とくに表示パネルは収納時において固定ピンによって可動シャーシに固定されることになり、このために表示パネルがフレームの内表面に干渉することが防止される。また上記折曲げ片とストッパとから成る固定解除手段によって、可動シャーシを引出して表示パネルを前方に起す前に必ず固定が解除されるために、動作の確実性が確保できるようになる。
【００１２】
【発明の実施の形態】
図１〜図８は本発明の一実施の形態に係る収納式表示装置を示すものであって、この表示装置は液晶表示パネルを用いた表示装置に関するものである。図４〜図６に示すようにこの装置は偏平な直方体状をなすフレーム１０を備えており、このフレーム１０はその前方が開口１１になっている。そしてフレーム１０内には開口１１の方向に移動可能に可動シャーシ１２が配されている。
【００１３】
フレーム１０の一側部には図６に示すように断面円形のガイドロッド１５が取付けられており、このガイドロッド１５が可動シャーシ１２に固定されている摺動軸受１６と摺動可能に嵌合されている。またフレーム１０にはスライドレール１７が移動自在に取付けられており、このスライドレール１７によって可動シャーシ１２の下部を支えるようにしている。
【００１４】
可動シャーシ１２の前端側の部分には横長の操作パネル２０が固着されている。操作パネル２０は複数の操作釦２１を有するとともに、横長の補助表示部２２を備えている。またコンパクトディスク（商品名）やミニディスク（商品名）等のディスク状記録媒体を挿入するためのディスク挿入口２３を備えている。
【００１５】
またこの可動シャーシ１２上には液晶表示パネル２６が回動自在に取付けられている。すなわち偏平な直方体状をなす液晶表示パネル２６の両側の下側の部分がピン２７を介して可動シャーシ１２の前端側に回動自在に支持されている。また液晶表示パネル２６のキャビネットの背面側の右側部にはセグメントギヤ２８が取付けられており、このセグメントギヤ２８が可動シャーシ１２上に固定されているモータ２９の出力軸に固着されたピニオン３０と係合されるようになっており、モータ２９によって液晶表示パネル２６を回動させるようにしている。
【００１６】
このような液晶表示パネル２６を備える表示装置は、車載用の表示装置であって、オーディオ装置と一緒に自動車のインストルメントパネルまたはコンソールパネルに上下に並べて収納されるようになっている。
【００１７】
次に上記液晶表示パネル２６を収納時に固定するための機構について図３〜図６により説明する。とくに図３に示すように、可動シャーシ１２上にはスライド板３７が設けられている。このスライド板３７には固定ピン３８が植設され、この固定ピン３８の小径部３９が液晶表示パネル２６の背面側であってその上部に形成されている凹部４０の係止板４１の切欠き４２に係合されるようになっている。
【００１８】
上記スライド板３７には一対の長孔４５が形成されるとともに、これらの長孔４５に係合するように可動シャーシ１２上には一対のピン４６が植設されている。また可動シャーシ１２上には開口４７が形成されるとともに、この開口４７内にばね４８が配されており、このばね４８の後端部が上記スライド板３７の先端部に係止され、これによってスライド板３７を前方へ摺動付勢している。
【００１９】
またスライド板３７の後端側の部分には下方に折曲げられた折曲げ片５１が一体に設けられている。この折曲げ片５１に対応して図４および図５に示すように、フレーム１０の開口１１のエッジの部分であって下側の部分には前方に延びるようにストッパ５２が設けられている。収納時においては図４に示すように、折曲げ片５１はストッパ５２から遠く離れているが、可動シャーシ１２が図５に示すように前方に引出されると、スライド板３７の後端側の折曲げ片５１がストッパ５２に当接し、これによってスライド板３７が可動シャーシ１２上を相対的に後方へ移動するようになっている。
【００２０】
次にこのような収納式表示装置の液晶表示パネル２６の引出し動作について説明する。収納状態においては図１および図４に示すように、液晶表示パネル２６がフレーム１０内に収納されている。そしてこのときにはとくに図４に示すように、この液晶表示パネル２６の背面側の凹部４０の係止板４１の切欠き４２に固定ピン３８の小径部３９が係止されており、このために液晶表示パネル２６はその後端側の部分が固定されることになる。従ってピン２７を中心として液晶表示パネル２６が回動運動を行なうことが防止される。このために収納時に液晶表示パネル２６がフレーム１０の内表面に干渉することがなくなる。
【００２１】
なおこのように液晶表示パネル２６がフレーム１０内に収納されている状態においては、操作パネル２０が図１に示すようにオーディオ操作パネル３３の上に並べて配置されるようになっている。
【００２２】
液晶表示パネル２６を使用する場合には、図５に示すように、可動シャーシ１２をフレーム１０に対して前方に引出す。この引出し動作は、モータによってラックとピニオンとを介して行なうようにしてもよく、あるいはまた手で操作パネル２０の部分を持って前方へ引出すようにしてもよい。このときに可動シャーシ１２はガイドロッド１５とスライドレール１７とによって案内された状態で引出される。
【００２３】
可動シャーシ１２が完全に引出されると、この可動シャーシ１２上に摺動可能に支持されているスライド板３７の折曲げ片５１が図５に示すように、フレーム１０のストッパ５２に当接し、これによってスライド板３７が可動シャーシ１２に対して相対的に後方へ移動される。このようなスライド板３７の可動シャーシ１２に対する移動によって、その上に植設されている固定ピン３８が液晶表示パネル２６の係止板４１の切欠き４２から離脱する。すなわち固定ピン３８による液晶表示パネル２６の固定が自動的に解除される。
【００２４】
次に図７に示すようにモータ２９を駆動し、ピニオン３０によってセグメントギヤ２８を駆動することにより、このセグメントギヤ２８が取付けられている液晶表示パネル２６が図７に示すようにピン２７を中心として反時計方向に回動され、これによって液晶表示パネル２６がほぼ直立した状態になる。
【００２５】
この後に図８に示すように、再び可動シャーシ１２をフレーム１０内に引込む。このときにフレーム１０の開口１１のエッジに対して直立する液晶表示パネル２６がやや前方に位置する位置まで引込むようにする。そしてこの状態において液晶表示パネル２６によって所定の表示を行なうようにする。なおこのときに液晶表示パネル２６を図８において鎖線で示すようにやや後方に傾けるようにしてもよい。
【００２６】
液晶表示パネル２６を収納する場合には上記とは逆の動作を行なう。すなわち図８に示すように直立した液晶表示パネル２６を支持している可動シャーシ１２を図７に示すように再び前方へ引出す。そしてこの状態においてモータ２９によってピニオン３０およびセグメントギヤ２８を介して図５および図６に示すように液晶表示パネル２６をピン２７を中心として時計方向に回動させ、可動シャーシ１２内に収納する。なおこのときにスライド板３７はその折曲げ５１がストッパ５２によって前方への移動を規制されているために、液晶表示パネル２６の収納動作を妨げることはない。
【００２７】
この後に可動シャーシ１２をフレーム１０内に引込む。すると可動シャーシ１２の後方への移動に伴って、スライド板３７の折曲げ片５１がフレーム１０のストッパ５２から離れ、これによってスライド板３７が可動シャーシ１２上を相対的に前方へ移動し、固定ピン３８の小径部３９が液晶表示パネル２６の係止板４１の切欠き４２に係合するようになる。すなわち液晶表示パネル２６は固定ピン３８によって固定された状態でフレーム１０内に収納されるようになる。
【００２８】
このように本実施の形態の収納式表示装置によれば、図４に示すように収納された液晶表示パネル２６はスライド板３７の固定ピン３８によって固定されて上下方向の運動が規制されることになる。従ってピン２７を中心とする回動方向の振動が防止される。従って収納状態において液晶表示パネル２６の上面とフレーム１０の内表面との間には適正な隙間が維持され、このためにとくに液晶表示パネル２６の表示面がフレーム１０と干渉して傷つくことが防止される。
【００２９】
収納状態から可動シャーシ１２を前方に引出していくと、液晶表示パネル２６がフレーム１０からほぼ脱出した位置でスライド板３７の折曲げ片５１がフレーム１０のストッパ５２に当接してスライド板３７の前方への移動が規制される。従ってさらに可動シャーシ１２が前方へ移動すると、固定ピン３８と液晶表示パネル２６の係止板４１の切欠き４２との係合が解除される。その後に図外の引出し検出スイッチが作動され、液晶表示パネル２６がモータ２９によって回動されて図７に示すように直立することになる。
【００３０】
このように引出し検出スイッチが検出動作を行なっていない領域、すなわち液晶表示パネル２６がフレーム１０から抜け出るまでの領域においては、液晶表示パネル２６の上下方向の動きをスライド板３７に植設されている固定ピン３８によって規制し、これによって液晶表示パネル２６の上面とフレーム１０の内表面との間の隙間を確保することが可能になる。すなわちフレーム１０の内表面に液晶表示パネル２６が干渉することがなくなる。しかも上述の如く可動シャーシ１２の引出しの完了の直前に固定ピン３８による固定が解除されるために、動作の確実性が確保されることになる。
【００３４】
【発明の効果】
以上のように本発明は、フレームと、フレームに前後方向に摺動自在に取付けられている可動シャーシと、可動シャーシの前端側に回動自在に取付けられている表示パネルと、可動シャーシ上に摺動自在に支持されるとともに、表示パネルを固定する固定部材を有するスライド板と、スライド板をシャーシ上において前方に摺動付勢するばねと、フレームに設けられ、可動シャーシが前方に引出されたときにスライド板の同方向への移動を規制する固定解除手段と、を具備し、表示パネルは可動シャーシ内に回動されて収納されるとともに、可動シャーシがフレーム内に引込まれて収納された状態でスライド板上の固定部材によって固定されるとともに、可動シャーシが前方に引出されると固定解除手段によってスライド板が可動シャーシに対して相対的に後方に移動され、スライド板上の固定部材による表示パネルの固定が解除されるようにしたものである。
【００３５】
従って収納時に表示パネルがスライド板の固定部材によって固定され、ガタツキが防止されるとともに、フレームと干渉することが防止される。また可動シャーシが前方に引出されると固定解除手段によって表示パネルの固定が解除されるために、動作の確実性が確保される。
【００３６】
固定部材がスライド板に設けられている固定ピンであって、この固定ピンが表示パネルの背面側の上部の切欠きに係合して表示パネルを収納状態で固定するようにした構成によれば、上記固定ピンによって表示パネルを確実に固定することが可能になる。
【００３７】
スライド板上の固定部材は表示パネルが可動シャーシを介してフレーム内に収納されると該表示パネルを収納状態で自動的に固定するとともに、表示パネルがフレームから引出されると自動的に固定を解除するようにした構成によれば、動作の確実性が確保される収納式表示装置が提供される。
【００３８】
固定解除手段がスライド板に設けられている折曲げ片と、この折曲げ片に当接してスライド板の前方への移動を阻止するストッパとから構成されるようにした場合には、可動シャーシが引出されるとスライド板の折曲げ片がストッパに当接し、これによって表示パネルの固定が自動的に解除されることになる。
【図面の簡単な説明】
【図１】収納式表示装置の収納状態の外観斜視図である。
【図２】同引出し状態の外観斜視図である。
【図３】液晶表示パネルの固定のための機構を示す分解斜視図である。
【図４】収納状態の縦断面図である。
【図５】引出し状態の縦断面図である。
【図６】同平面図である。
【図７】液晶表示パネルを前方へ回動させた状態の縦断面図である。
【図８】使用位置へ表示パネルを移動させたときの縦断面図である。
【符号の説明】
１０‥‥フレーム、１１‥‥開口、１２‥‥可動シャーシ、１５‥‥ガイドロッド、１６‥‥摺動軸受、１７‥‥スライドレール、２０‥‥操作パネル、２１‥‥操作釦、２２‥‥補助表示部、２３‥‥ディスク挿入口、２６‥‥液晶表示パネル、２７‥‥ピン、２８‥‥セグメントギヤ、２９‥‥モータ、３０‥‥ピニオン、３３‥‥オーディオ操作パネル、３７‥‥スライド板、３８‥‥固定ピン、３９‥‥小径部、４０‥‥凹部、４１‥‥係止板、４２‥‥切欠き、４５‥‥長孔、４６‥‥ピン、４７‥‥開口、４８‥‥ばね、５１‥‥折曲げ片、５２‥‥ストッパ
【図１】
0003978550.tif 000002
【図２】
0003978550.tif 000003
【図３】
0003978550.tif 000004
【図４】
0003978550.tif 000005
【図５】
0003978550.tif 000006
【図６】
0003978550.tif 000007
【図７】
0003978550.tif 000008
【図８】
0003978550.tif 000009